(57)【要約】【課題】  ローラマーク（縦スジの光沢ムラ）対策【解決手段】  定着後の用紙が搬送される際、複数のローラ対のニップが長手方向略同じ位置であるとローラマークが悪化する傾向にあることから、全排紙ローラ対の長手方向ニップ位置を全てずらすことによって、ローラマークが軽減する。【選択図】  図１
2007025565.tif 000002
【特許請求の範囲】
【請求項１】
定着後の転写材を本体外へ排紙するための複数のローラーと、該複数のローラーと複数のニップを形成する複数の対向ローラーにおいて、前記複数のニップ部を転写材搬送方向と略垂直方向のある面に投影した際、重なることなく配置したことを特徴とする画像形成装置。
【請求項２】
定着後の転写材を本体外へ排紙するための複数のローラーと、該複数のローラーと複数のニップを形成する複数の対向ローラーにおいて、前記複数のニップ部を転写材搬送方向と略垂直方向のある面に投影した際、重なることがなく、かつ転写材の最大幅方向サイズよりも外側までニップ部をカバーさせて配置したことを特徴とする画像形成装置。
【発明の詳細な説明】
【技術分野】
【０００１】
本発明は電子写真方式を用いた複写機やプリンター等の画像形成装置に関し、特に転写材上に転写されたトナー像を定着後、下流側に備えた複数のローラー対によって排紙トレイ上に転写材を排出、積載する画像形成装置に関する。
【背景技術】
【０００２】
電子写真方式の画像形成装置は一般的に、転写材は本体内に給紙、搬送し、トナー像を転写、定着装置によって定着され、排紙される際には複数の排紙ローラーにより搬送されて排紙トレイ上に積載される。
【０００３】
上記画像プロセスにおいて、トナー像を転写された転写材は、定着装置により高温のローラーで加圧されてトナー像を定着されるので、転写材は定着装置からの熱を多量に受ける。そして転写材は定着装置の下流側で、徐々に転写材が持つ熱を空気中に放出させながら排紙搬送されている。
【０００４】
通常、定着後の排紙搬送ローラーは、軸に複数箇所ゴムローラー部がついており、各ゴムローラー部には対向ローラーを配することで転写材をニップして搬送している。転写材はゴムローラー対でニップされている部分とそうでない部分とで熱の放出量が異なる。このとき、定着後の転写材の持つ熱の放出量の違いにより、画像表面の光沢度に違いが出る。そのため、文字等の印字率の低い画像では目立たないが、写真、グラフ、カラー像等の印字率の高い画像では、熱の放出量の違いは光沢度の違いとなり、結果として画像上に縦帯状の光沢むらができてしまう。
【０００５】
図9に示すように転写材上の光沢むらに対して従来では、定着後の複数の排紙搬送ローラー対を最大画像領域幅カバーするゴムローラー３ｃ、４ｃ、５ｃ（以下、通しローラーという）と、略同幅の対向ローラー3ｄ、4ｄ、5ｄを配していた。そうすることで、定着装置の下流側排紙搬送ローラー対のニップ部で転写材の熱を放出量を一定にすることができ、画像上に縦スジ状の光沢むらはなくなっていた。
【０００６】
しかしながらこの構成は、本来排紙搬送上必要のない部分にまでローラー部を設けているところから、転写材の角折れ、しわ等の搬送不良の懸念、ローラー対大型化のためのトルクアップ、及び複数の排紙搬送ローラー全て通しローラーにするため、コストアップを余儀なくされていた。
【０００７】
又、従来例としては、例えば特許文献１をあげることが出来る。
【特許文献１】特開2003-345151号公報
【発明の開示】
【発明が解決しようとする課題】
【０００８】
本発明は上記問題を鑑みてなされたもので、その目的とするところは複雑な構成にすることなく安価で、良好な画像を提供にすることである。
【課題を解決するための手段】
【０００９】
定着後の転写材を本体外へ排紙するための複数のローラーと、該複数のローラーと複数のニップを形成する複数の対向ローラーにおいて、前記複数のニップ部を転写材搬送方向と略垂直方向のある面に投影した際、重なることなく配置したことを特徴とする。
【発明の効果】
【００１０】
以上の説明で明らかなように，本発明によれば，画像形成装置において画像を印字された後、複数の排紙ローラー対のニップ部を転写材の搬送方向の垂直面に対してそれぞれ重ねることなく、転写材の画像領域をカバーするように並べることで、コストダウンが可能な上に搬送性良好な構成で、光沢むらのない良好な画像を持つ転写材を排紙可能にすることができる。
【発明を実施するための最良の形態】
【００１１】
以下に本発明の実施の形態を添付図面に基づいて説明する。
【００１２】
図2は同電子写真画像形成装置の断面図である。
【００１３】
図2において本実施の形態に係る電子写真画像形成装置は、その本体Ａ内にスキャナーＳ、プロセスカートリッジＣ、定着装置Ｔ等を備えている。尚、プロセスカートリッジＣには１つの電子写真感光ドラムＣｄが組み込まれている。そして、このように構成することにより、カセットから給紙された転写材PがプロセスカートリッジＣの感光ドラムＣｄ部に搬送されて画像が転写される。さらに、画像が転写された後、転写材PはプロセスカートリッジＣの下流に配された定着装置Ｔに搬送され、この定着装置Ｔにより画像が定着されるようになっている。
【００１４】
前記定着装置Ｔの下流側には、定着装置Ｔ直後の定着排紙ローラー対3からＦＤ下ローラー４、ＦＤ上ローラー５まで転写材Pを導く搬送ガイド部材２が設けられており，この搬送ガイド部材２は内側の搬送ガイド２ａと外側の搬送ガイド２ｂで構成されている。これにより転写材Pは、排紙トレイ９上に排出され、順次積載される。ここで、定着排紙ローラー対3は定着排紙ローラー３ａと対向ローラー3ｂからなっており、対向ローラー3ｂは図示しないバネによりローラー側へ付勢されている。同様にＦＤ下ローラー対4はＦＤ下ローラー4ａと対向ローラー4ｂからなっており、対向ローラー4ｂは図示しないバネによりローラー側へ付勢されている。またＦＤ上ローラー対5も、ＦＤ上ローラー5ａと対向ローラー5ｂからなっており、対向ローラー5ｂは図示しないバネによりローラー側へ付勢されている。
【００１５】
図3は定着排紙ローラー３ａを正面から見たものである。定着排紙ローラー３ａの軸部は金属軸で出来ており転写材搬送部である４箇所のローラーゴムはチューブ状になっていて、軸端部から圧入されて個々に所定の位置に配置される。
【００１６】
図4はＦＤ下ローラー４を正面から見たものである。ＦＤ下ローラー４の軸部は樹脂で出来ており、転写材搬送部である３箇所のローラーゴムはチューブ状になっていて、軸端部から圧入されて個々に所定の位置に配置される。
【００１７】
図5はFD上ローラー５を正面から見たものである。ＦＤ下ローラー４と同様に、ＦＤ上ローラー５の軸部は樹脂で出来ており、転写材搬送部である４箇所のローラーゴムはチューブ状になっていて、軸端部から圧入されて個々に所定の位置に配置される。
【００１８】
図1は上記定着排紙ローラー３、ＦＤ下ローラー４、ＦＤ上ローラー５周辺を本体背面から見たときの部分断面図である。
【００１９】
また図1は本発明を用いた画像形成装置における、転写材Ｐが定着装置Ｔより下流側で搬送されて排紙トレイ９上に排紙される際の、全ての搬送ローラーを示している図である。
【００２０】
転写材Ｐは定着装置Ｔから熱をもらい受ける。その直後、定着排紙ローラー３により４箇所のニップ部で他の場所と比べて急激に熱を奪われる。そのため定着排紙ローラー４直後の転写材Ｐの画像は、図6の／／／部のような定着排紙ローラー３のニップ部と同位置に４箇所の縦帯状の光沢むら３ｅができる。
【００２１】
次に、転写材Ｐが定着排紙ローラー３の下流側のＦＤ下ローラー４を通過すると、転写材ＰはＦＤ下ローラー４の３箇所のニップ部で他の場所と比べて急激に熱を奪われる。そのためＦＤ下ローラー４直後の転写材Ｐの画像は、図7の×××部のようなＦＤ下ローラー４のニップ部と同位置に３箇所の縦帯状の光沢むら４ｅが、先ほどの定着排紙ローラー３部で発生した光沢むら３ｅに追加される。このとき転写材Ｐから奪われる熱の量が同じことから、光沢むら３ｅと光沢むら４ｅの光沢度は略同一である。
【００２２】
さらに、転写材ＰがＦＤ下ローラー４の下流側のＦＤ上ローラー５を通過すると、転写材ＰはＦＤ上ローラー５の４箇所のニップ部で他の場所と比べて急激に熱を奪われる。そのため、図８のようなＦＤ上ローラー５の４箇所のニップ部と同位置に縦帯状の光沢むら５ｅが、先ほどの定着排紙ローラー３部とＦＤ下ローラー４部で発生した光沢むら３ｅ、光沢むら４ｅに追加される。このとき、光沢むら５ｅと光沢むら３ｅ、光沢むら４ｅの光沢度は、転写材Ｐから奪われる熱の量が同じことから略同一となるため、排出される際の転写材Ｐの画像内光沢度は略同一となった。
【図面の簡単な説明】
【００２３】
【図１】本発明を実施した電子写真画像形成装置の背面から見た部分断面図
【図２】本発明を実施した電子写真画像形成装置の断面図
【図３】本発明を実施した電子写真画像形成装置の定着排紙ローラー
【図４】本発明を実施した電子写真画像形成装置のＦＤ下ローラー
【図５】本発明を実施した電子写真画像形成装置のＦＤ上ローラー
【図６】本発明を実施した電子写真画像形成装置で通紙した転写材の定着排紙ローラー直後の画像
【図７】本発明を実施した電子写真画像形成装置で通紙した転写材のＦＤ下ローラー直後の画像
【図８】本発明を実施した電子写真画像形成装置で通紙した転写材のＦＤ上ローラー直後の画像
【図９】従来例の電子写真画像形成装置の背面から見た部分断面図
【符号の説明】
【００２４】
Ａ  画像形成装置本体
Ｃ  プロセスカートリッジ
Ｃｄ  電子写真感光ドラム
Ｓ  スキャナー
Ｔ  定着装置
Ｐ  転写材
２  搬送ガイド部材
２ａ，２ｂ  搬送ガイド
３  定着排紙ローラー対
４  ＦＤ下ローラー対
５  ＦＤ上ローラー対
６  排紙押え部材
９  排紙トレイ
【図１】
2007025565.tif 000003
【図２】
2007025565.tif 000004
【図３】
2007025565.tif 000005
【図４】
2007025565.tif 000006
【図５】
2007025565.tif 000007
【図６】
2007025565.tif 000008
【図７】
2007025565.tif 000009
【図８】
2007025565.tif 000010
【図９】
2007025565.tif 000011